(57)【要約】【課題】  感光層内部における空間電荷の発生の抑制による露光メモリ電位の低減と、画像形成装置に対する小型化、イニシャルコストダウンおよび高速化の要求とに対応可能な電子写真感光体、およびそれを備えた画像形成装置を提供する。【解決手段】  少なくとも電荷発生剤および正孔輸送剤を含有する感光層を備えた電子写真感光体であって、前記正孔輸送剤は下記式（Ａ）および（Ｂ）を満たすものとした。好ましくは、上記電荷発生剤および正孔輸送剤を同一層内に含む単層型電子写真感光体とする。【数５】2006178321.tif 000014【選択図】なし【特許請求の範囲】
【請求項１】
少なくとも電荷発生剤および正孔輸送剤を含有する感光層を備えた電子写真感光体であって、前記正孔輸送剤は下記式（Ａ）および（Ｂ）を満たすことを特徴とする電子写真感光体。
【数１】
2006178321.tif 000011
【請求項２】
前記正孔輸送剤は、さらに下記式（Ｃ）を満たすことを特徴とする請求項１に記載の電子写真感光体。
【数２】
2006178321.tif 000012
【請求項３】
前記正孔輸送剤の分子量は８００以上であることを特徴とする請求項１または２に記載の電子写真感光体。
【請求項４】
前記正孔輸送剤は、下記式（I）または（II）で表されることを特徴とする請求項１〜３のいずれかに記載の電子写真感光体。
【化１】
2006178321.tif 000013
（式中、Ｒ1〜Ｒ4は、同一または異なる基であって、水素原子、アルキル基、アリール基またはアラルキル基を示す。Ｒ5〜Ｒ8は、同一または異なる基であって、アルキル基、アリール基、アルコキシ基、アラルキル基、またはハロゲンを示す。Ａはアリーレン基を示す。ｍおよびｎは、０〜２の整数を示す。）
【請求項５】
上記電荷発生剤および正孔輸送剤を同一層内に含む単層型電子写真感光体であることを特徴とする請求項１〜４のいずれかに記載の電子写真感光体。
【請求項６】
請求項１〜５のいずれかに記載の電子写真感光体を備えており、電子写真感光体の回転方向に沿って、順に帯電手段と、露光手段と、現像手段と、転写手段とが配設され、除電手段が設けられていないことを特徴とする画像形成装置。
【発明の詳細な説明】
【技術分野】
【０００１】
本発明は、帯電工程、露光工程、現像工程および転写工程などの工程を経た後、次の帯電工程において前周回の露光部分と非露光部分とで生じる電位差（露光メモリ電位）を、効果的に小さくすることができる電子写真感光体と、それを備えた画像形成装置とに関する。
【背景技術】
【０００２】
電子写真方式を利用した画像形成装置では、感光体を帯電する工程（帯電工程）、画像露光して静電潜像を形成する工程（露光工程）、静電潜像を現像バイアス電圧が印加された状態でトナー現像する工程（現像工程）、形成されるトナー像を転写紙に転写する工程（転写工程）などの工程を経て、さらにそのトナー像を転写紙に定着させることによって、画像形成を行う。また、上記転写工程後において、感光体上の残留トナーをウレタンブレードなどでクリーニングする工程（クリーニング工程）と、感光体上の残留電荷を除電する工程（除電工程）とを備えた画像形成装置がある。また、近年の画像形成装置では、小型化、イニシャルコストダウンおよび高速化が求められている。下記特許文献１には、小型化およびイニシャルコストダウンを図るべく、除電工程を省いた画像形成装置が提案されている。
【０００３】
上記のような工程により画像を形成する画像形成装置では、感光体を回転させて繰り返し使用する。しかし、前周回で露光された部分の電位（明電位）が影響して、次の周の帯電工程を経ても所望する帯電電位を得ることができないことがある。つまり、露光工程での露光部分と非露光部分とにおいては、次の帯電工程で電位差（露光メモリ電位）が生じることがある。この露光メモリ電位が一定以上大きくなって、帯電工程後でも所望の電位を得ることができない場合、メモリ画像が発生する。特に、除電工程のための手段（除電手段）を省いた画像形成装置においては、メモリ画像が多く発生する。このように露光メモリ電位およびメモリ画像が発生するのは、露光された部分の感光層内部に、空間電荷が残留しているためと考えられる。
【０００４】
除電手段を設ければ、前周回の露光部と非露光部の差をなくすことがほぼ可能となる。従って、除電手段のない画像形成装置において、メモリ画像の発生は顕著である。しかしながら、露光メモリ電位の低減のために除電手段を設けた場合、第一に、除電工程によっても電位の減衰が起こるため、感光層内部には空間電荷が生じ、繰り返し特性（帯電電位や明電位）が変化するため、一定の画像が得られないという問題点がある。第二に、除電手段を設ければ画像形成装置の部品点数が増加するため、コンパクトで廉価なプリンタ、複写機、ＦＡＸといった画像形成装置を設計することができず、またコストダウンできないという問題点がある。また、特許文献１に記載の画像形成装置では、露光メモリ電位の低減が不十分であるという問題点がある。
【特許文献１】特開２００１−３１２０７５号公報
【発明の開示】
【発明が解決しようとする課題】
【０００５】
本発明の課題は、感光層内部における空間電荷の発生の抑制による露光メモリ電位の低減と、画像形成装置に対する小型化、イニシャルコストダウンおよび高速化の要求とに対応可能な電子写真感光体、およびそれを備えた画像形成装置を提供することにある。
【課題を解決するための手段】
【０００６】
本発明者らは、上記課題を解決すべく鋭意研究を重ねた結果、一定の条件を満たす正孔輸送剤は、感光層内部における空間電荷の発生および残留を抑制することにより、露光メモリ電位の低減が可能であることを見出して、本発明を完成するに至った。すなわち、本発明の電子写真感光体は、以下の特徴を有する。
【０００７】
（１）少なくとも電荷発生剤および正孔輸送剤を含有する感光層を備えた電子写真感光体であって、前記正孔輸送剤は下記式（Ａ）および（Ｂ）を満たすことを特徴とする電子写真感光体。
【０００８】
【数３】
2006178321.tif 000002
【０００９】
（２）前記正孔輸送剤は、さらに下記式（Ｃ）を満たすことを特徴とする（１）に記載の電子写真感光体。
【００１０】
【数４】
2006178321.tif 000003
【００１１】
（３）前記正孔輸送剤の分子量は８００以上であることを特徴とする（１）または（２）に記載の電子写真感光体。
【００１２】
（４）前記正孔輸送剤は、下記式（I）または（II）で表されることを特徴とする請求項１〜３のいずれかに記載の電子写真感光体。
【００１３】
【化２】
2006178321.tif 000004
（式中、Ｒ1〜Ｒ4は、同一または異なる基であって、水素原子、アルキル基、アリール基またはアラルキル基を示す。Ｒ5〜Ｒ8は、同一または異なる基であって、アルキル基、アリール基、アルコキシ基、アラルキル基、またはハロゲンを示す。Ａはアリーレン基を示す。ｍおよびｎは、０〜２の整数を示す。）
【００１４】
（５）上記電荷発生剤および正孔輸送剤を同一層内に含む単層型電子写真感光体であることを特徴とする（１）〜（４）のいずれかに記載の電子写真感光体。
【００１５】
また、本発明の画像形成装置は、（１）〜（５）のいずれかに記載の電子写真感光体を備えており、電子写真感光体の回転方向に沿って、順に帯電手段と、露光手段と、現像手段と、転写手段とが配設され、除電手段が設けられていないことを特徴とする。
【発明の効果】
【００１６】
上記（１）〜（５）によれば、式（Ａ）、より好ましくは式（Ｃ）の条件を満たす正孔輸送剤は、感光層中で正孔の授受を阻害する部分が少ないため、正孔の授受が起こりやすい。従って、このような正孔輸送剤を用いれば、感光層内部における空間電荷の発生を抑制して、露光メモリ電位を低減することができる。また、このように感光層内部の空間電荷の発生を抑制すれば、除電工程を用いない場合の繰り返し特性の悪化も抑制することができる。さらに、上記正孔輸送剤は、式（Ｂ）の条件を満たすため、画像形成装置の高速化にも対応することができる。その結果、感光層内部における空間電荷の発生の抑制による露光メモリ電位の低減と、画像形成装置に対する小型化、コストダウンおよび高速化の要求とに対応可能な電子写真感光体を提供することができる。
【００１７】
また、本発明の画像形成装置は、上記電子写真感光体を備えており、除電手段が設けられていない。その結果、露光メモリ電位の低減によるメモリ画像の発生を抑制することができるとともに、小型化、コストダウンおよび高速化の要求に対応可能な画像形成装置を提供することができる。
【発明を実施するための最良の形態】
【００１８】
＜正孔輸送剤＞
本発明の電子写真感光体に用いられる正孔輸送剤は、上記式（Ａ）を満たしている。この式は、正孔輸送剤の分子量に対して、正孔移動度が一定以上大きな値でなければならないことを示している。この式を満たすには、正孔輸送剤の分子が、パイ電子をより多く持ち、共役平面が大きく広がり、脂肪族性の構造が比較的少なくなければならない。但し、炭素数１〜３程度のアルキル基やアルコキシ基の場合には、超共役による共役平面の拡大効果や、共役平面の電子密度増大の効果があるため、正孔移動度が大きくなることもある。つまり、上記式（Ａ）を満たせば、感光層中でより正孔の授受を阻害する部分が少なくなることになる。このため、より正孔の授受が起こりやすくなり、空間電荷を減少させることが可能となって、露光メモリ電位を効果的に小さくすることができる。また、式（Ｂ）をも満たす、つまり一定以上の正孔移動度を有する正孔輸送剤は、画像形成装置の高速化にも対応することができる。
【００１９】
本発明の電子写真感光体に用いられる正孔輸送剤は、上記式（Ａ）だけでなく、上記式（Ｃ）をも満たすほうが好ましい。正孔の授受がさらに起こりやすくなり、空間電荷をさらに減少させることができるとともに、露光メモリ電位をさらに効果的に小さくすることができるからである。なお、μ／Ｍが過度に大きくなると、すなわち正孔移動度が大きく分子量が小さいと、適用できる正孔輸送剤が少なくなるため、μ／Ｍは、２０×１０-8未満が好ましく、より好ましくは１０×１０-8未満である。
【００２０】
本発明で用いる正孔輸送剤は、上記式（I）または（II）で表されることが好ましい。Ｒ1〜Ｒ4のアルキル基としては、例えばメチル基、エチル基、ｎ−プロピル基、イソプロピル基、ｎ−ブチル基、イソブチル基、ｓ−ブチル基、ｔ−ブチル基、ｎ−ペンチル基、ｎｅｏ−ペンチル基、ｉｓｏ−ペンチル基などの炭素数１〜６のアルキル基が挙げられる。Ｒ1〜Ｒ4のアリール基としては、例えばフェニル基、トリル基、キシリル基などが挙げられる。Ｒ1〜Ｒ4のアラルキル基としては、例えばベンジル基、フェネチル基などが挙げられる。
【００２１】
Ｒ5〜Ｒ8のアルキル基としては、例えばメチル基、エチル基、ｎ−プロピル基、イソプロピル基、ｎ−ブチル基、イソブチル基、ｓ−ブチル基、ｔ−ブチル基、ｎ−ペンチル基、ｎｅｏ−ペンチル基、ｉｓｏ−ペンチル基などの炭素数１〜６のアルキル基が挙げられる。Ｒ5〜Ｒ8のアリール基としては、例えばフェニル基、トリル基、キシリル基などが挙げられる。Ｒ5〜Ｒ8のアルコキシ基としては、メトキシ基、エトキシ基などが挙げられる。Ｒ5〜Ｒ8のアラルキル基としては、例えばベンジル基、フェネチル基などが挙げられる。Ｒ5〜Ｒ8のハロゲンとしては、例えばフッ素、塩素、臭素、ヨウ素などが挙げられる。なかでも、Ｒ5〜Ｒ8が炭素数１〜６のアルキル基であることが好ましい。この理由としては、Ｒ5〜Ｒ8が炭素数１〜６のアルキル基であることより、正孔輸送剤の合成が容易であり、且つバインダー樹脂との相溶性が高まるためである。
【００２２】
Ａにおけるアリーレン基の基本骨格としては、例えば単環式化合物または多環式化合物の骨格が挙げられ、具体例としては、ベンゼン、ナフタレン、アントラセン、フェナントレンなどが挙げられる。なお、本発明において、Ａはフェニレン基またはナフチレン基であることが好ましい。
【００２３】
上記式（Ａ）および（Ｂ）を満たす正孔輸送剤、または上記式（I）〜（II）で表される正孔輸送剤としては、例えば、次に示すＨＴＭ−１〜５が挙げられる。
【００２４】
【化３】
2006178321.tif 000005
【００２５】
【化４】
2006178321.tif 000006
【００２６】
【化５】
2006178321.tif 000007
【００２７】
なお、本発明においては、上記式（Ａ）および（Ｂ）を満たす正孔輸送剤の１種または２種以上を用いてもよい。また、必要に応じて、本発明における正孔輸送剤は、他の正孔輸送剤と併用してもよい。
【００２８】
＜電荷発生剤＞
次に、本発明の電子写真感光体を得るために用いる電荷発生剤等について説明する。電荷発生剤としては、例えば無金属フタロシアニン、ヒドロキシガリウムフタロシアニン、クロロガリウムフタロシアニン、α−チタニルフタロシアニン、Ｙ−チタニルフタロシアニン、Ｖ−ヒドロキシガリウムフタロシアニンなどのフタロシアニン系顔料、ペリレン系顔料、ビスアゾ顔料、ジオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、ピリリウム顔料、アンサンスロン顔料、トリフェニルメタン系顔料、スレン顔料、トルイジン系顔料、ピラゾリン系顔料、キナクリドン系顔料といった有機光導電体、セレン、セレン−テルル、セレン−ヒ素、硫化カドミニウム、アモルファスシリコンといった無機光導電材料などが挙げられる。これらの電荷発生剤は単独でまたは２種以上をブレンドして用いてもよい。
【００２９】
本発明では、特にフタロシアニン系顔料、とりわけ無金属フタロシアニン（例えばＸ型無金属フタロシアニン）、チタニルフタロシアニン、ヒドロキシガリウムフタロシアニンおよびクロロガリウムフタロシアニンから選ばれる少なくとも１種を電荷発生剤として用いるのが、ＬＥＤやレーザー等、６５０ｎｍ以上の赤色もしくは赤外光を露光光源としたときの、感光体の電気特性のうえで好ましい。
【００３０】
＜電子輸送剤＞
電子輸送剤としては、例えばジフェノキノン誘導体、ベンゾキノン誘導体、ナフトキノン誘導体、アントラキノン誘導体、マロノニトリル誘導体、チオピラン誘導体、チオキサントン誘導体（２，４，８−トリニトロチオキサントン等）、フルオレノン誘導体（３，４，５，７−テトラニトロ−９−フルオレノン誘導体等）、アントラセン誘導体、アクリジン誘導体、ジニトロベンゼン、ジニトロアントラセン、ジニトロアクリジン、無水コハク酸誘導体、無水マレイン酸誘導体、ジブロモ無水マレイン酸誘導体などの、電子受容性を有する化合物が挙げられる。
【００３１】
＜バインダ樹脂＞
バインダ樹脂としては、例えばスチレン系重合体、スチレン−ブタジエン共重合体、スチレン−アクリロニトリル共重合体、スチレン−マレイン酸共重合体、アクリル系重合体、スチレン−アクリル系共重合体、ポリエチレン、エチレン−酢酸ビニル共重合体、塩素化ポリエチレン、ポリ塩化ビニル、ポリプロピレン、塩化ビニル−酢酸ビニル共重合体、ポリエステル、ポリアミド、ポリカーボネート、ポリアリレート、ポリスルホン、ジアリルフタレート樹脂、ケトン樹脂、ポリビニルブチラール樹脂、ポリエーテル樹脂などの熱可塑性樹脂や、シリコーン樹脂、エポキシ樹脂、フェノール樹脂、尿素樹脂、メラミン樹脂、不飽和ポリエステル、アルキッド樹脂、ポリウレタン、その他架橋性の熱硬化性樹脂、さらにエポキシ−アクリレート、ウレタン−アクリレートなどの光硬化性樹脂などが挙げられる。これらはそれぞれ単独で使用できるほか、２種以上を併用することもできる。
【００３２】
＜導電性基体＞
導電性基体としては、導電性を有する各種の材料が使用可能であり、例えば鉄、アルミニウム、銅、スズ、白金、銀、バナジウム、モリブデン、クロム、カドミウム、チタン、ニッケル、パラジウム、インジウム、ステンレス鋼、真鍮などの金属単体、上記金属が蒸着もしくはラミネートされたプラスチック材料、さらにヨウ化アルミニウム、酸化スズ、酸化インジウムなどで被覆されたガラスなどが挙げられる。導電性基体は、使用する画像形成装置の構造に合わせてドラム状、シート状などの形態で使用される。この導電性基体は充分な機械的強度を有しているのが好ましい。
【００３３】
＜単層型電子写真感光体＞
本発明の電子写真感光体は、感光層内部における空間電荷の発生を抑制して、露光メモリ電位を低減するには、上記電荷発生剤および正孔輸送剤を同一層内に含む単層型電子写真感光体であることが好ましい。単層型電子写真感光体は、電荷発生剤、電子輸送剤、バインダ樹脂、必要に応じて正孔輸送剤や他の添加剤を適当な溶剤と共に、ロールミル、ボールミル、アトライタ、ペイントシェーカー、超音波分散機などを用いて混合して分散液を調製し、この分散液を導電性基体上にこれを公知の手段により塗布して乾燥させればよい。乾燥後の感光層の厚さは５〜１００μｍ、好ましくは１０〜５０μｍであるのがよい。
【００３４】
分散液を調製するための溶剤としては、例えばメタノール、エタノール、イソプロパノール、ブタノールなどのアルコール類、ｎ‐ヘキサン、オクタン、シクロヘキサンなどの脂肪族炭化水素、ベンゼン、トルエン、キシレンなどの芳香族炭化水素、ジクロロメタン、ジクロロエタン、四塩化炭素、クロロベンゼンなどのハロゲン化炭化水素、ジメチルエーテル、ジエチルエーテル、テトラヒドロフラン、ジオキサン、ジオキソラン、エチレングリコールジメチルエーテル、ジエチレングリコールジメチルエーテルなどのエーテル類、アセトン、メチルエチルケトン、シクロヘキサノンなどのケトン類、酢酸エチル、酢酸メチルなどのエステル類、ジメチルホルムアルデヒド、ジメチルホルムアミド、ジメチルスルホキシドなどが挙げられる。これらの溶剤は単独で使用するほか、２種以上を混合して用いてもよい。さらに、電荷発生剤および電荷輸送剤の分散性、感光体表面の平滑性を良くするために、界面活性剤、レベリング剤などを使用してもよい。
【００３５】
単層型電子写真感光体においては、バインダ樹脂１００重量部に対して、電荷発生剤を０．１〜５０重量部、特に０．５〜３０重量部の割合で、正孔輸送剤を５〜５００重量部、特に２５〜２００重量部の割合で含有させるのがよい。電子輸送剤を含有させる場合は、バインダ樹脂１００重量部に対して５〜１００重量部、特に１０〜８０重量部の割合でそれぞれ含有させるのがよい。
【００３６】
また、感光層として単層型感光層を備えた電子写真感光体は、構造が簡単で製造が容易である上、被膜欠陥の発生を抑制し、光学的特性を向上させることができる等の利点がある。また、単層型感光層を備えた感光体は、電荷輸送剤として電子輸送剤と正孔輸送剤とを併用することで、１つの感光体を正帯電型および負帯電型の両方に使用でき、感光体の応用範囲を広げることができる。
【００３７】
＜積層型電子写真感光体＞
積層型感光体とする場合は、電荷発生剤および電荷輸送剤をそれぞれ適当なバインダ樹脂および溶剤と共に、ロールミル、ボールミル、アトライタ、ペイントシェーカー、超音波分散機などを用いて混合して分散液を調製し、この分散液を導電性基体上にこれを公知の手段により塗布して乾燥させればよい。乾燥後の各層の厚さは、電荷発生層で０．０１〜５μｍ、好ましくは０．１〜３μｍであり、電荷輸送層で２〜１００μｍ、好ましくは５〜５０μｍであるのがよい。
【００３８】
積層型感光体のうち電荷発生層においては、バインダ樹脂１００重量部に対して電荷発生剤を５〜１０００重量部、特に３０〜５００重量部の割合で含有させるのがよい。また、電荷輸送層においては、バインダ樹脂１００重量部に対して正孔輸送剤を１０〜１００重量部、特に３０〜８０重量部の割合で含有させるのがよい。また、正孔輸送剤と電子輸送剤を併用する場合は、その総量がバインダ樹脂１００重量部に対して１０〜５００重量部、特に３０〜２００重量部の割合で含有させるのがよい。
【００３９】
感光層には、前記した成分のほかに、画像形成に悪影響を与えない範囲で、種々の添加剤を配合することができる。このような添加剤としては、例えば酸化防止剤、ラジカル捕捉剤、一重項クエンチャー、紫外線吸収剤などの劣化防止剤、軟化剤、可塑剤、表面改質剤、増量剤，増粘剤、分散安定剤、ワックス、アクセプター、ドナーなどが挙げられる。また、感度を向上させるために、例えばテルフェニル、ハロナフトキノン類、アセナフチレン等の公知の増感剤を電荷発生剤と併用してもよい。
【００４０】
単層型感光層または積層型感光層と、導電性基体との間や、積層型感光層を構成する電荷発生層と電荷輸送層との間には、感光体の特性を阻害しない範囲で中間層、バリア層などを形成してもよい。また、感光層の表面には保護層が形成されていてもよい。
【００４１】
＜画像形成装置＞
本発明の画像形成装置は、帯電手段と、露光手段と、現像手段と、転写手段とを備え、前記転写手段で印加される電圧は帯電手段で印加される電圧とは逆極性である、反転現像式の画像形成装置とすることが好ましい。このような画像形成装置としては、例えばデジタル複写機、ファクシミリ、レーザービームプリンタ等が挙げられる。本発明の画像形成装置は、上記電子写真感光体を備えているため、露光メモリ電位が非常に小さく、除電手段を有さなくともメモリー画像が発生することはない。また前述のように、画像形成装置の小型化やコストダウン等のために、クリーニング手段を除電手段と同様に省略してもよい。
【００４２】
＜カラー用画像形成装置＞
本発明の電子写真感光体は、カラー用画像形成装置に用いることができる。例えばブラックトナー、シアントナー、マゼンダトナー、イエロートナーなどの各色のトナーによって、本発明の電子写真感光体表面にトナー像を形成し、所定の転写紙上に順に転写することにより転写紙上にフルカラーの画像を形成することができる。さらに、この転写紙を、転写ベルトの排紙側に配置された定着装置に導入し、転写画像を転写紙に定着させることによって画像形成は行われる。もちろん、各色のトナー毎に専用の電子写真感光体を使用し、これらの電子写真感光体を転写ベルト上に配列した、いわゆるタンデム型フルカラー画像形成装置に、本発明の電子写真感光体を用いてもよい。このタンデム型フルカラー画像形成装置は、転写紙を転写ベルトによって連続的に搬送しながら画像形成を行うことができるという利点を有している。
【００４３】
以下、実施例および比較例を挙げて、本発明の電子写真感光体をさらに詳細に説明するが、本発明は以下の実施例のみに限定されるものではない。
【００４４】
［実施例］
（正孔移動度の測定）
正孔輸送剤として、１４種類の正孔輸送剤（ＨＴＭ−１〜１４）を準備し、その正孔移動度を測定した。正孔移動度は、通常のＴＯＦ（Ｔｉｍｅ  Ｏｆ  Ｆｌｉｇｈｔ）法により２５℃の環境下で測定した。電界強度は３ラ１０5（Ｖ／ｃｍ）とした。測定サンプルは、バインダー樹脂（パンライトＴＳ２０２０  帝人化成株式会社製）と電荷輸送剤の合計重量に対して、電荷輸送剤の含有量が３０重量％になるように塗布液を作製し、塗布液をアルミニウム基材上に塗布した後８０℃、３０分間の熱処理を行い作製した。サンプル膜厚は７μｍとした。なお、ＨＴＭ−１〜５は上記と同様である。ＨＴＭ−６〜１４は下記に示す。
【００４５】
【化６】
2006178321.tif 000008
【００４６】
［実施例１〜５および比較例１〜９]
＜単層型電子写真感光体の作製＞
電荷発生剤（Ｘ型無金属フタロシアニン）４重量部、正孔輸送剤５０重量部、電子輸送剤３０重量部およびバインダ樹脂１００重量部を、溶剤（テトラヒドロフラン）８００重量部と共にボールミルにて５０時間混合分散させて、感光体塗布液を調製した。なお、バインダ樹脂は、平均分子量３００００のポリカーボネートを用い、実施例１〜５および比較例１〜９で用いた正孔輸送剤は、下記表１に示す。次に、上記感光体塗布液を導電性基板上（アルミニウム素管：直径３０ｍｍ）にディップコート法にて塗布し、その後１００℃で４０分間熱風乾燥し、膜厚２５μｍの単層型電子写真感光体を得た。なお、ここで用いた電荷発生剤、電子輸送剤、およびバインダ樹脂の化学式を下記に示す。
【００４７】
【化７】
2006178321.tif 000009
【００４８】
＜露光メモリ電位評価＞
除電ランプを取り除いた京セラミタ（株）製マルチファンクションプリンタ（Ａｎｔｉｃｏ４０）に、各実施例および比較例の電子写真感光体を搭載し、未露光部の表面電位Ｖ１（Ｖ）、および露光部の次帯電工程後の表面電位Ｖ２（Ｖ）を測定し、その差（Ｖ１−Ｖ２）を露光メモリ電位（Ｖ）とした。結果を表１に示す。
【００４９】
＜露光メモリ画像評価＞
除電ランプを取り除いた京セラミタ（株）製マルチファンクションプリンタ（Ａｎｔｉｃｏ４０）に、各実施例および比較例の電子写真感光体を装着して、印写試験を実施した。具体的には、目視により露光メモリが画像上問題となる程度に現れているか確認した。印写試験には図１に示すような原稿（Ａ４サイズ）を使用し、印写試験を実施した場合、強い露光部分（黒ベタ部）の感光体表面電位の低下により、露光部分のメモリ画像がグレー部分に発生しているかどうかを確認した。結果を表１および図２に示す。
【００５０】
なお、表１の画像評価の項目において、「◎」はメモリ画像が全く見られなかったことを、「○」はメモリ画像がかすかに見られたが問題ないレベルであったことを、「△」はメモリ画像が見られたことを、「×」はメモリ画像が顕著に見られたことを示している。また、正孔輸送剤の分子量は、ソフトウェア（Ｃｈｅｍ  Ｄｒａｗ  Ｓｔｄ．８．０（CambridgeSoft社製））を用いてＭｏｌ．Ｗｔを求め、小数点第３位を四捨五入して求めた。
【００５１】
【表１】
2006178321.tif 000010
【００５２】
表１および図２によれば、実施例１〜５では、μ／Ｍが２．５×１０-8より大きく、露光メモリ電位も５０Ｖ以下に抑えることができ、画像評価の結果も良好であったことが分かる。特に、μ／Ｍが４．０×１０-8より大きい場合は、画像評価の結果がすべて「◎」であり、極めて良好であったことが分かる。
【００５３】
一方、比較例１〜９では、μ／Ｍが２．５×１０-8より小さいため、露光メモリ電位も７０Ｖより大きい値となり、画像評価の結果も「△」または「×」であり、良好とはいえない結果となった。
【図面の簡単な説明】
【００５４】
【図１】実施例の露光メモリ画像評価で用いた原稿と、印写試験におけるメモリ画像とを示す模式図である。
【図２】実施例の露光メモリ電位とμ／Ｍとの関係を示すグラフである。
【図１】
2006178321.tif 000015
【図２】
2006178321.tif 000016